(57)【要約】      （修正有）【課題】巻き上げる際に隙間が生じないようにでき、使用時の捻じれ負荷を低減できる多芯ケーブルを提供する。【解決手段】三本以上の複数のコア電線２と、編組または横巻のシールドを含み複数のコア電線２を一括して覆う一括遮蔽部４と、一括遮蔽部４を覆う外被５と、を有する多芯ケーブル１であって、外被５の横断面外形が長径／短径比１．２以下の正方形に近い略四角形状である。【選択図】図１
0003193295.tif 000002
【実用新案登録請求の範囲】
【請求項１】
三本以上の複数のコア電線と、編組または横巻のシールドを含み前記複数のコア電線を一括して覆う一括遮蔽部と、前記一括遮蔽部を覆う外被と、を有する多芯ケーブルであって、
前記外被の横断面外形が長径／短径比１．２以下の正方形に近い略四角形状である、多芯ケーブル。
【請求項２】
前記一括遮蔽部は、長さ方向に垂直な断面の形状が略円形であり、
前記複数のコア電線は、前記一括遮蔽部の中に束ねられている、請求項１に記載の多芯ケーブル。
【請求項３】
前記外被は熱可塑性樹脂の押出成形体からなる、請求項１または請求項２に記載の多芯ケーブル。
【請求項４】
前記一括遮蔽部は、銅線の裸線、錫メッキ線、銀メッキ線のいずれかの編組または横巻のシールドと、当該シールドに併設された金属テープとを有する、請求項１から請求項３のいずれか一項に記載の多芯ケーブル。
【請求項５】
前記複数のコア電線は、複数層に配置されている、請求項１から請求項４のいずれか一項に記載の多芯ケーブル。
【請求項６】
前記外被の横断面外形の長径は、５．０ｍｍ以下である、請求項１から請求項５のいずれか一項に記載の多芯ケーブル。
【考案の詳細な説明】
【技術分野】
【０００１】
本考案は、多芯ケーブルに関する。
【背景技術】
【０００２】
一般的に、多芯ケーブルは芯線を断面が円形になるように集合させて強度を確保し、その外側は外被で覆われている。そして、外被の横断面外形も円形となっている。一方、芯線を幅方向に並べた幅広のテープ状のケーブルが知られている（例えば、特許文献１参照）。
【先行技術文献】
【特許文献】
【０００３】
【特許文献１】特開昭６０−５９６０８号公報
【考案の概要】
【考案が解決しようとする課題】
【０００４】
上記のように、一般的な多芯ケーブルは、外被の横断面外形が円形である。このため、ケーブルを巻き上げる際に隙間が生じる。また、ケーブルに捻じれが生じているか否かがわかりにくく、ケーブルの捻じれ方向が一定であるか否かもわかりにくい。よって、ケーブルの使用時に捻じれ負荷が大きくなる虞がある。
【０００５】
一方、特許文献１に開示されているような、芯線を幅方向に並べた幅広のテープ状のケーブルは、薄型で屈曲し易く機器内配線の狭いスペースなどに用いられるが、芯線の並列方向には曲がらず、配線しにくい場合もある。
【０００６】
本考案は、巻き上げる際に隙間が生じないようにでき、配線容易であり使用時の捻じれ負荷を低減できる多芯ケーブルを提供することを目的とする。
【課題を解決するための手段】
【０００７】
本考案の一態様に係る多芯ケーブルは、三本以上の複数のコア電線と、編組または横巻のシールドを含み前記複数のコア電線を一括して覆う一括遮蔽部と、前記一括遮蔽部を覆う外被と、を有する多芯ケーブルであって、
前記外被の横断面外形が長径／短径比１．２以下の正方形に近い略四角形状である。
【考案の効果】
【０００８】
本考案の多芯ケーブルによれば、巻き上げる際に隙間が生じないようにでき、配線容易であり使用時の捻じれ負荷を低減できる。
【図面の簡単な説明】
【０００９】
【図１】本考案の実施形態に係る多芯ケーブルの具体例を示す断面図である。
【考案を実施するための形態】
【００１０】
[本考案の実施形態の説明]
最初に本考案の実施形態を列記して説明する。
本考案の実施形態に係る多芯ケーブルは、
（１）  三本以上の複数のコア電線と、編組または横巻のシールドを含み前記複数のコア電線を一括して覆う一括遮蔽部と、前記一括遮蔽部を覆う外被と、を有する多芯ケーブルであって、
前記外被の横断面外形が長径／短径比１．２以下の正方形に近い略四角形状である。
（１）の構成によれば、外被の横断面外形が正方形に近い略四角形状であるので、ドラムなどに巻き上げる際に、多芯ケーブル同士が平面で接触し隙間が生じないように整列して巻き上げることができる。また、略四角形状の外被はその捻じれが目視で分かりやすいので、多芯ケーブルの捻じれ方向が一定であるか否かが判別しやすい。このため、捻じれ方向を一定に保つようにするなどして、使用時の捻じれ負荷を低減できる。
【００１１】
（２）  前記一括遮蔽部は、長さ方向に垂直な断面の形状が略円形であり、
前記複数のコア電線は、前記一括遮蔽部の中に束ねられている。
（２）の構成によれば、複数のコア電線を一括遮蔽部の内側で、一括遮蔽部に外接するように円く束ねることができ、束ねられた電線の強度を強くできる。
【００１２】
（３）  前記外被は熱可塑性樹脂の押出成形体からなる。
（３）の構成によれば、押出成形により外被を容易に作成することができる。
【００１３】
（４）  前記一括遮蔽部は、銅線の裸線、錫メッキ線、銀メッキ線のいずれかの編組または横巻のシールドと、当該シールドに併設された金属テープとを有する。
（４）の構成によれば、一括遮蔽部は、銅線の裸線、錫メッキ線、銀メッキ線のいずれかの編組または横巻のシールドに、金属テープが併設されているので、シールド性能を向上させることができる。
【００１４】
（５）  前記複数のコア電線は、複数層に配置されている。
（５）の構成によれば、一括遮蔽部の内側により多くの電線を含むことができる。
【００１５】
（６）  前記外被の横断面外形の長径は、５．０ｍｍ以下である。
（６）の構成によれば、５．０ｍｍ以下の細径の多芯ケーブルに適用することができる。
【００１６】
[本考案の実施形態の詳細]
本考案の実施形態に係る多芯ケーブルの具体例を、以下に図面を参照しつつ説明する。
なお、本考案はこれらの例示に限定されるものではなく、実用新案登録請求の範囲によって示され、実用新案登録請求の範囲と均等の意味および範囲内でのすべての変更が含まれることが意図される。
【００１７】
本実施形態の多芯ケーブル１は、三本以上の複数のコア電線２を有している。例えば図１では、複数のコア電線２として、同軸電線２Ａが２本、同軸電線２Ｂが７本、絶縁電線２Ｃが１０本であり、計１９本（１９芯）の電線が使用されている。
【００１８】
上記同軸電線２Ａおよび２Ｂの構造は、例えば、中心導体と、その外周を覆う絶縁体と、外部導体および外被を有する（例えばＡＷＧ４０（外被の外径が０．３５ｍｍ）である）。また、絶縁電線２Ｃは、導体および外被を有している（例えばＡＷＧ３６（外被の外径が０．２９ｍｍ）である）。本発明で使用可能な同軸電線はＡＷＧ３６（外径が０．２９．ｍｍ）より細い電線である。
【００１９】
複数のコア電線２は、長さ方向に垂直な断面で見て略円形に束ねられている。例えば図１の例では、２層それぞれが円形に束ねられている。この２層の集合外径は、例えば約１．７ｍｍである。このように、円形に束ねることにより、複数のコア電線２の強度を強くできる。また、複数層（ここでは、２層）にすることにより、後述の一括遮蔽部４の内側により多くの電線を含むことができる。なお、上記２層の複数のコア電線２は、各層合わせて一括して撚るものでも、内層を撚ってその上に外層を重ねて撚るものでもよい。
【００２０】
そして、上記複数のコア電線２を束ねた円に外接するように、一括遮蔽部４が設けられている。この一括遮蔽部４は、銅線または銅合金線の編組、または、横巻シールドからなるものである。銅線または銅合金線はいずれも裸線、錫メッキ線または銀メッキ線のいずれかとすることができる。図１の例では、一括遮蔽部４は錫メッキ銅合金線である。また、必要により、シールド性能を向上させるため、金属テープ３を併設することもできる。図１の例では、金属テープ３は一括遮蔽部４の内側に併設されている。
【００２１】
そして、一括遮蔽部４は、絶縁性の外被５で覆われている。この外被５は熱可塑性樹脂の押出成形体からなり、熱可塑性樹脂として、例えば、ＰＶＣ（ポリ塩化ビニル）、ポリウレタン、ポリエチレン、ポリプロピレン、フッ素樹脂などを使用することができる。このように、外被５は押出成形により容易に作成することができる。
【００２２】
また、外被５の長さ方向に垂直な横断面の外形形状は、その長径／短径比１．２以下の略正方形の四角形状である。長径／短径比１．２よりも大きいと、多芯ケーブルをドラム等に巻いた場合に、隙間が生じやすくなる。図１の例では、外被５の長径Ｌ１は３．０ｍｍ、短径Ｌ２は３．０ｍｍであり、長径／短径比は１．０である。本実施形態は、外被５の長径が５．０ｍｍ以下の細径の多芯ケーブルに適用することができる。外被５の長径は２．０ｍｍ以上とすることができる。なお、外被５の四隅は、図１に示すように角がとれて丸みを帯びたものであってもよい。
【００２３】
なお、上記実施形態の図１の例では、複数のコア電線２が同軸電線（２Ａ、２Ｂ）と絶縁電線（２Ｃ）で構成された多芯ケーブル１を示したが、同軸電線のみ、或いは、絶縁電線のみで構成された多芯ケーブルであってもよい。
【００２４】
以上のように、本実施形態の多芯ケーブル１は、外被５の形状が正方形に近い略四角形状であるので、ドラムなどに巻き上げる際に、多芯ケーブル１同士が平面で接触し隙間が生じないように整列して巻き上げることができる。また、略四角形状の外被５はその捻じれが目視で分かりやすいので、多芯ケーブル１の捻じれ方向が一定であるか否かが判別しやすい。このため、捻じれ方向を一定に保つようにするなどして、使用時の捻じれ負荷を低減できる。
【符号の説明】
【００２５】
１  多芯ケーブル
２  複数のコア電線
２Ａ、２Ｂ  同軸電線
２Ｃ  絶縁電線
３  金属テープ
４  一括遮蔽部
５  外被
【図１】
0003193295.tif 000003